(57)【要約】【課題】柔構造を有すると共に、施工を簡略化することができるトンネル内構造およびトンネル内構造の築造方法を提供する。【解決手段】本発明は、対向して配置された一対の脚部と、一対の脚部に支持された天板とを備える１つまたは複数の門型ブロックと、複数の脚部の下端部を支持する複数の溝部を有するインバートブロックと、を備え、溝部は、下端部を、トンネル軸方向を軸として回転自在に支持する、トンネル内構造である。【選択図】図１
2018109280.tif 000002
【特許請求の範囲】
【請求項１】
対向して配置された一対の脚部と、前記一対の脚部に支持された天板とを備える１つまたは複数の門型ブロックと、
複数の前記脚部の下端部を支持する複数の溝部を有するインバートブロックと、を備え、
前記溝部は、前記下端部を、トンネル軸方向を軸として回転自在に支持する、
トンネル内構造。
【請求項２】
前記溝部と前記下端部とによりヒンジ構造を形成する、
請求項１に記載のトンネル内構造。
【請求項３】
前記溝部と前記下端部とにより回転ばね構造を形成する、
請求項１に記載のトンネル内構造。
【請求項４】
前記１つの門型ブロックの両端に、または前記複数の門型ブロックがトンネルの断面の水平方向に連続して配置されたその両端に、流動化処理土が施工された一対の端部構造を更に備える、
請求項１から３のいずれか１項に記載のトンネル内構造。
【請求項５】
前記１つの門型ブロックの両端に、または前記複数の門型ブロックがトンネルの断面の水平方向に連続して配置されたその両端に、一対の端部ブロックを更に備える、
請求項１から３のいずれか１項に記載のトンネル内構造。
【請求項６】
互いに隣接する前記門型ブロックの間に充填される緩衝材を更に備える、
請求項１から５のいずれか１項に記載のトンネル内構造。
【請求項７】
対向して配置された一対の脚部と、前記一対の脚部に支持された天板とを備える１つまたは複数の門型ブロックと、
複数の前記脚部の下端部を支持する複数の溝部を有するインバートブロックと、を備えるトンネル内構造の築造方法であって、
前記インバートブロックをトンネル内に設置する第１工程と、
前記インバートブロック上に前記１つまたは複数の門型ブロックを載置する第２工程と、を有し、
前記第２工程において前記門型ブロックは、前記下端部が前記溝部によってトンネル軸方向を軸として回転自在に支持されるように載置される、
トンネル内構造の築造方法。
【発明の詳細な説明】
【技術分野】
【０００１】
本発明は、トンネル内に形成される床面を支持するためのトンネル内構造およびトンネル内構造の築造方法に関する。
【背景技術】
【０００２】
シールドトンネルは、シールドマシンで掘削されたトンネル開口部を掘削に従ってセグメントで覆って構築される。シールドトンネルが構築された後、トンネル内の底部に床面が形成される。特許文献１には、トンネル断面方向に開口するボックスカルバートをトンネル底部の中央に設置し、その両側にボックスカルバートを拘束するためのコンクリートブロックを設置する、トンネル内の床面構造が記載されている。特許文献２には、トンネルの底部に底板となるインバートブロックを設置し、その上に一対の側板と天板をそれぞれピン結合して組み立てられるボックスカルバートによるトンネル内の床面構造が記載されている。
【先行技術文献】
【特許文献】
【０００３】
【特許文献１】特許第５４９２３４２号公報
【特許文献２】特開２００９−１５０１６５号公報
【発明の概要】
【発明が解決しようとする課題】
【０００４】
特許文献１に記載された床面構造は、剛構造のボックスカルバートを用いており、地震動や経年変化等の外力によって生じる地盤の変形に対して追従性が低下する可能性がある。また、特許文献２に記載された床面構造は、分割された底板、一対の側板、天板をそれぞれ結合してボックスカルバートを構築するため、施工の手間が増加して工期が延びる可能性がある。
【０００５】
本発明は、柔構造を有すると共に、施工を簡略化することができるトンネル内構造およびトンネル内構造の築造方法を提供することを目的とする。
【課題を解決するための手段】
【０００６】
本発明の一態様にかかるトンネル内構造は、対向して配置された一対の脚部と、前記一対の脚部に支持された天板とを備える１つまたは複数の門型ブロックと、複数の前記脚部の下端部を支持する複数の溝部を有するインバートブロックと、を備え、前記溝部は、前記下端部を、トンネル軸方向を軸として回転自在に支持する。
【０００７】
本発明は、このような構成により、門型ブロックをインバートブロックに設置する際に、脚部の下端部が溝部に位置決めされ施工性が向上すると共に下端部と溝部が回転機構を形成し、柔構造とすることができる。
【０００８】
トンネル内構造は、前記溝部と前記下端部とによりヒンジ構造を形成してもよい。
【０００９】
また、トンネル内構造は、前記溝部と前記下端部とにより回転ばね構造を形成してもよい。
【００１０】
本発明は、このような構成により、門型ブロックの脚部が溝部を中心に回転することができる。
【００１１】
トンネル内構造は、前記１つの門型ブロックの両端に、または前記複数の門型ブロックがトンネルの断面の水平方向に連続して配置されたその両端に、流動化処理土が施工された一対の端部構造を更に備えるようにしてもよい。
【００１２】
本発明は、このような構成により、門型ブロックを端部構造が両側から支えることで門型ブロックに水平方向の変位が生じた際に、端部構造が門型ブロックの動きを受け止めることができる。
【００１３】
トンネル内構造は、前記１つの門型ブロックの両端に、または前記複数の門型ブロックがトンネルの断面の水平方向に連続して配置されたその両端に、一対の端部ブロックを更に備えるよう構成されていてもよい。
【００１４】
本発明は、端部ブロックを用いることにより、施工性を向上させることができる。
【００１５】
トンネル内構造は、互いに隣接する前記門型ブロックの間に充填される緩衝材を更に備えるよう構成されていてもよい。
【００１６】
本発明は、このような構成により、互いに隣接する門型ブロックが衝突して門型ブロックが破損することを防止することができる。
【００１７】
本発明の一態様に係るトンネル内構造の築造方法は、対向して配置された一対の脚部と、前記一対の脚部に支持された天板とを備える１つまたは複数の門型ブロックと、
複数の前記脚部の下端部を支持する複数の溝部を有するインバートブロックと、を備えるトンネル内構造の築造方法であって、
前記インバートブロックをトンネル内に設置する第１工程と、
前記インバートブロック上に前記１つまたは複数の門型ブロックを載置する第２工程と、を有し、
前記第２工程において前記門型ブロックは、前記下端部が前記溝部によってトンネル軸方向を軸として回転自在に支持されるように載置される。
【００１８】
本発明はこのような構成により、門型ブロックをインバートブロックに設置する際に、脚部の下端部が溝部に位置決めされ施工性が向上する。
【発明の効果】
【００１９】
本発明に係るトンネル内構造およびトンネル内構造の築造方法によると、柔構造を有すると共に施工を簡略化することができる。
【図面の簡単な説明】
【００２０】
【図１】第１実施形態に係るトンネル内構造を示す斜視図である。
【図２】ヒンジ構造の動作を説明する図である。
【図３】ヒンジ構造の動作を説明する図である。
【図４】ヒンジ構造の動作を説明する図である。
【図５】回転バネ構造の動作を説明する図である。
【図６】回転バネ構造の動作を説明する図である。
【図７】回転バネ構造の動作を説明する図である。
【図８】トンネル内構造の築造方法を示すフローチャートである。
【図９】シールドトンネルを示す断面斜視図である。
【図１０】シールドトンネルにインバートブロックを設置した状態を示す斜視図である。
【図１１】インバートブロックに門型ブロックを設置した状態を示す斜視図である。
【図１２】門型ブロックの端部に端部構造を設ける状態を示す斜視図である。
【図１３】第２実施形態に係るトンネル内構造を示す斜視図である。
【図１４】第３実施形態に係るトンネル内構造を示す斜視図である。
【発明を実施するための形態】
【００２１】
以下、図面を参照しつつ、本発明の実施形態に係るトンネル内構造１について説明する。
【００２２】
［第１実施形態］
図１に示されるように、トンネル内構造１は、シールドトンネル１０内に構築される構造物である。トンネル内構造１は、シールドトンネル１０の底部に設置されるインバートブロック２０と、インバートブロック２０に載置される一対の門型ブロック３０と、一対の門型ブロック３０の両側に設置される一対の端部構造４０とによって構成される。
【００２３】
インバートブロック２０は、例えばプレキャストで成型されているコンクリート製のブロックである。プレキャストとは、工場で予め製造されることをいう。プレキャストで形成されたコンクリート部材を組み立てることにより、現場でコンクリートを打設する工法より工期を短縮することができる。インバートブロック２０は、例えば鉄筋コンクリート構造で形成されている。インバートブロック２０は、一体で形成されていてもよいし、分割されて形成されていてもよい。
【００２４】
インバートブロック２０の底面２１は、シールドトンネル１０の底部に設置された際に、シールドトンネル１０の内壁１１の形状に合致するように下側に突出する欠円形状に形成されている。インバートブロック２０の上面２２は、シールドトンネル１０の内壁１１の形状に合わせて傾斜面２２ａが形成されている。
【００２５】
インバートブロック２０の上面２２には、シールドトンネル１０のトンネル軸Ｌの方向に沿って複数の溝部２３，２４が形成されている。一対の溝部２３は、上面２２の両端に形成されている。一対の溝部２４は、上面２２の中央の近傍に形成されている。複数の溝部２３，２４のそれぞれは、例えば断面が欠円状に凹んで形成されている。複数の溝部２３，２４のそれぞれには、後述するように門型ブロック３０の脚部３２，３３の下端部３２ａ，３３ａが当接する。
【００２６】
門型ブロック３０は、例えばプレキャストで形成されたコンクリート製の門型カルバートである。門型ブロック３０は、例えば鉄筋コンクリート構造で形成されている。一対の門型ブロック３０は、トンネル軸Ｌに直交する方向のトンネル断面に沿って互いに対称になるように連続して配置される。門型ブロック３０は、方形の板状体の天板３１を有する。天板３１のトンネル軸Ｌに沿った両側３１ａ，３１ｂには、下方に垂下して方形の板状の一対の脚部３２，３３が設けられている。
【００２７】
一対の脚部３２，３３は、平行に対向して配置されている。天板３１は、脚部３２，３３によって支持される。天板３１と脚部３２，３３とは剛結されており、門型ブロック３０はラーメン構造である。トンネル内の形状に合致させるために、トンネル断面の水平方向の外側に設置される脚部３２の長さは、内側に設置される脚部３３の長さに対して短く形成されている。
【００２８】
それぞれの脚部３２，３３の下端部３２ａ，３３ａは、それぞれ断面が下方に突出した欠円形状に形成されている。下端部３２ａ，３３ａの断面形状は、溝部２３，２４の断面形状に嵌るように形成されている。門型ブロック３０をインバートブロック２０の上方から載置する際、門型ブロック３０の脚部３２，３３の下端部３２ａ，３３ａは、それぞれインバートブロック２０の複数の溝部２３，２４に嵌り、門型ブロック３０が位置決めされる。
【００２９】
溝部２３，２４の断面の欠円状の形状は下端部３２ａ，３３ａの断面の欠円状の形状に合致しているため、下端部３２ａ，３３ａが溝部２３，２４に嵌ると、下端部３２ａ，３３ａは、溝部２３，２４に対して回転可能となる。これにより、下端部３２ａと溝部２３及び下端部３３ａと溝部２４とによって回転機構Ｒ１，Ｒ２が形成される。
【００３０】
回転機構Ｒ１，Ｒ２は、下端部３２ａと溝部２３及び下端部３３ａと溝部２４とによって構成されるヒンジ構造である。回転機構Ｒ１，Ｒ２において、複数の溝部２３，２４のそれぞれは、下端部３２ａ,３３ａを、トンネル軸方向を軸として回転自在に支持する。これにより、天板３１は、トンネル断面に沿った水平方向に変位することができる。天板３１が変位した場合、脚部３２，３３の下端部３２ａ，３３ａは、それぞれ溝部２３，２４に拘束され、下端部３２ａ，３３ａはトンネル断面に沿った水平方向の変位が規制される。
【００３１】
この状態で脚部３２，３３は、それぞれトンネル軸方向を軸とした溝部２３，２４を中心に回転自在に支持される。天板３１が変位した状態では、脚部３２，３３は撓むように弾性変形する。そして、脚部３２，３３の変形が元に戻るのに従って天板３１が元の位置に戻る。回転機構Ｒ１，Ｒ２により、門型ブロック３０は、柔構造となる。回転機構Ｒ１，Ｒ２の動作については後に詳述する。
【００３２】
インバートブロック２０に門型ブロック３０が載置されると、トンネル軸Ｌに沿って連続した開口部Ｐが形成される。開口部Ｐは、路面が形成された後に、例えば災害時の避難通路として用いられる。開口部Ｐは、避難通路の他、例えば換気口、通信や電力ケーブル等を敷設するための共同溝として用いられてもよい。開口部Ｐは、用途に合わせて断面積が決定される。そのため一対の門型ブロック３０は必ずしも対称の形状とは限らない。
【００３３】
従って一対の門型ブロック３０は、それぞれの開口部Ｐの形状が異なるように非対称に形成されてもよい。一対の門型ブロック３０は、互いに所定の間隔で離間して配置されている。これにより、一対の門型ブロック３０の間には隙間Ｓが形成される。隙間Ｓの所定の間隔は例えば数センチから十数センチ程度である。
【００３４】
隙間Ｓには、緩衝材Ｑが充填される。緩衝材Ｑは、例えば土や軽量土が充填されることにより形成される。緩衝材Ｑは、土や軽量土以外のものを用いてもよい。緩衝材Ｑによって門型ブロック３０がトンネル断面方向に変位した場合、一対の門型ブロック３０同士が互いに衝突して破損することが防止される。
【００３５】
一対の門型ブロック３０が載置された後、一対の門型ブロック３０の両端に、一対の端部構造４０が設けられる。例えば、端部構造４０の上面４１の高さは、門型ブロック３０の天板３１の高さと同一に形成される。端部構造４０は、例えば流動化処理土によって形成される。端部構造４０を流動化処理土で形成する際、門型ブロック３０の外側の脚部３２が型枠の一部となる。
【００３６】
トンネル内構造１をシールドトンネル１０内に順次築造していくと、既に形成された端部構造４０も型枠となるため、端部構造４０の型枠はトンネル断面方向の一部に設けるだけでよい。そのため、トンネル内構造１は、築造時に型枠の一部を省略することができ施工性が向上する。
【００３７】
端部構造４０は、門型ブロック３０が水平方向に変位した際、門型ブロック３０に対して変位と反対方向の反力を与える。このとき、端部構造４０が弾性変形して門型ブロック３０の変位によって生じる運動エネルギーを吸収し、端部構造４０は、門型ブロック３０の変位に対するダンパーとなる。従って、端部構造４０は、門型ブロック３０に生じる振動を端部構造４０が無い場合に比して早期に収束させる。
【００３８】
一対の端部構造４０を設置した後、門型ブロック３０の天板３１と端部構造４０との上方には、例えば土層５０が敷かれて路面が形成される。天板３１の上方には、土層の他、例えば床板を載置してその上に路面を形成してもよい。
【００３９】
次に、回転機構Ｒ１，Ｒ２の動作について説明する。
【００４０】
図２に示されるように、門型ブロック３０に矢印Ａの方向の変位が生じた場合、脚部３３は、下端部３３ａが溝部２４に拘束される。これにより、脚部３３には溝部２４を中心にトンネル軸Ｌに沿った方向を軸とした矢印Ｂ方向の回転が生じる。下端部３３ａは、溝部２４の断面を形成する壁を滑りながら回転する。
【００４１】
このように、溝部２４の断面の欠円状の形状は下端部３３ａの断面の欠円状の形状に回転可能に合致しているため、下端部３３ａと溝部２４とからなる回転機構Ｒ２は、回転自在なヒンジ構造とみなしてよい。脚部３２の下端部３２ａと溝部２３とからなる回転機構Ｒ１も同様に、回転自在なヒンジ構造とみなしてよい。
【００４２】
図３に示されるように、門型ブロック３０に互いに離間する矢印Ａ１，Ａ２の方向の変位が生じた場合、一対の脚部３３には溝部２４を中心にトンネル軸Ｌに沿った方向を軸とした互いに離間する矢印Ｂ１，Ｂ２方向の回転が生じる。緩衝材Ｑは、回転しないように図示されているが、一対の脚部３３のいずれかの壁面に付着して、一対の脚部３３のいずれかと共に回転し得る。
【００４３】
図４に示されるように、門型ブロック３０に互いに接近する矢印Ａ１，Ａ２の方向の変位が生じた場合、一対の脚部３３は、緩衝材Ｑを介して互いに反力を与えるため回転しない。この場合、緩衝材Ｑによって一対の門型ブロック３０が互いに衝突して破損することを防止する。
【００４４】
上記例で回転機構Ｒ１，Ｒ２をヒンジ構造として説明したが、回転機構Ｒ１，Ｒ２には他の構造を用いてもよい。図５〜図７に示されるように、例えば、回転機構Ｒ１，Ｒ２に回転バネ構造を用いてもよい。回転バネ構造は、例えば、階段状に下方に突出して形成された脚部３３の下端部３３ａと、階段状に下方に凹んで形成された溝部２４とによって構成される（図７参照）。脚部３２の下端部３２ａと、溝部２３も同様に階段状に形成される。
【００４５】
回転バネ構造は、門型ブロック３０の設置時にはヒンジ構造と同様に門型ブロック３０の位置決め用のガイドとなる。回転バネ構造を有する回転機構Ｒ１，Ｒ２は、端部３２ａ，３３ａと溝部２３，２４とが例えばボルトやアンカーなどの連結部材によって連結されていてもよい。この場合、端部３２ａ，３３ａと溝部２３，２４との間には弾性体からなる支承材を挟んでもよい。
【００４６】
回転バネ構造は、脚部３２，３３の回転時に下端部３２ａ，３３ａが溝部２３，２４を滑らずに回転する。この時、下端部３２ａ，３３ａは、溝部２３，２４によって回転の動きが規制され、下端部３２ａ，３３ａの接触面には弾性変形が生じる。
【００４７】
また、端部３２ａ，３３ａと溝部２３，２４とが連結部材で連結されている場合に脚部３２，３３が回転した場合は、連結部材の弾性変形も生じ、連結部材や支承材の復元力が生じる。従って回転バネ構造は、ヒンジ構造よりも回転抵抗があるが、復元力も生じる。
【００４８】
次に、トンネル内構造１の築造方法について説明する。
【００４９】
図８は、トンネル内構造１を築造する処理を示すフローチャートである。図９に示されるように、セグメント１２が組まれてシールドトンネル１０が築造される。図１０に示されるように、シールドトンネル１０内の底部にインバートブロック２０を設置する：第１工程（Ｓ１０）。インバートブロック２０は、例えば地上からシールドマシンの発進立坑に搬入される。その後、インバートブロック２０は、シールドトンネル１０の入り口から内部を通って設置点まで運搬され、例えばクレーンで設置される。
【００５０】
図１１に示されるように、インバートブロック２０の上面に一対の門型ブロック３０を設置する：第２工程（Ｓ１１）。この際、門型ブロック３０の脚部３２，３３の下端部３２ａ，３３ａのそれぞれを溝部２３，２４にそれぞれ嵌める。これにより、門型ブロック３０は、確実に設計位置に位置決めされる。
【００５１】
そして、門型ブロック３０は、下端部３２ａ，３３ａが溝部２３，２４によってトンネル軸Ｌ方向を軸として回転自在に支持されるようにインバートブロック２０に載置される。門型ブロック３０の搬入経路はインバートブロック２０と同様である。一対の門型ブロック３０の間の隙間Ｓには、緩衝材Ｑが充填される。
【００５２】
図１２に示されるように、一対の門型ブロック３０の両側に一対の端部構造４０を設置する（Ｓ１２）。端部構造４０は、例えば型枠を用いて例えば流動化処理土によって形成される。その後、一対の門型ブロック３０と一対の端部構造４０の上面に路面（不図示）を形成する（Ｓ１３）。
【００５３】
上記の工程を繰り返し行って、トンネル内構造１をシールドトンネル１０のトンネル軸Ｌに沿って順次築造することにより、シールドトンネル１０内に路面が形成される。シールドトンネル１０内に連続して築造されたトンネル内構造１は、土層５０の下に構築されるため、トンネル軸Ｌ方向に隣接したトンネル構造１の各ブロック同士は、必ずしも継手、ボルト及びＰＣ鋼材等の連結部材によって連結されていなくてもよいが、連結されていてもよい。
【００５４】
上述したようにトンネル内構造１によると、回転機構Ｒ１，Ｒ２を有することにより、外力が加わった際に変形し、外力に対して追従する柔構造とすることができる。トンネル内構造１は、柔構造を有するように各ブロックを薄肉化したり軽量化したりして運搬性を向上し、コストも低減することができる。
【００５５】
また、トンネル内構造１は、溝部２３，２４を有することにより、門型ブロック３０の位置決めを容易にし、施工性を向上させることができる。さらに、トンネル内構造１は、門型ブロック３０が取り外し容易な構造であるため、トンネル完工後に、門型ブロック３０を１つずつ取り外して補修または交換することができる。
【００５６】
［第２実施形態］
第１実施形態では、トンネル内構造１の門型ブロック３０は、２連で配置されていた。第２実施形態では、門型ブロック３０を複数連ねてトンネル内構造を築造する例を示す。以下の説明では、第１実施形態と同一の構成については同一の符号を用い、同様の説明については省略する。
【００５７】
図１３に示されるように、トンネル内構造２は、３連の門型ブロック３０Ａ，３０Ｂ，３０Ｃを有する。インバートブロック２０Ａには、３連の門型ブロック３０Ａ，３０Ｂ，３０Ｃを載置するために複数の溝部が形成されている。トンネル内構造２は、回転機構Ｒ３，Ｒ４，Ｒ５を有する。門型ブロック３０Ａ，３０Ｂ，３０Ｃとインバートブロック２０Ａとによって空間Ｐ１，Ｐ２，Ｐ３が形成されている。
【００５８】
トンネル内構造２によると、３連の門型ブロック３０Ａ，３０Ｂ，３０Ｃを有することにより、複数の空間Ｐ１，Ｐ２，Ｐ３が形成され、これらの空間Ｐ１，Ｐ２，Ｐ３を避難路や共同溝の他、多様な用途に用いることができる。
【００５９】
第２実施形態では３連の門型ブロック３０Ａ，３０Ｂ，３０Ｃを例示したが、３連以上の門型ブロックを用いてトンネル内構造を築造してもよい。
【００６０】
［第３実施形態］
第１実施形態では、トンネル内構造１の端部構造４０は、流動化処理土を用いて形成した。第３実施形態では、端部構造４０は、ブロックで形成される例を示す。
【００６１】
図１４に示されるように、トンネル内構造３は、ブロックで形成された一対の端部構造４０を有する。端部構造４０は、中空の端部ブロックで形成されている。
【００６２】
トンネル内構造３によると、ブロックで形成された端部構造４０Ａを用いることにより、搬入及び設置が容易となり、流動化処理土を用いる場合に比して工期を短縮することができる。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。例えば、上記実施形態は左右対称に例示したが、トンネル内構造１〜３の片側をそれぞれ組み合わせて非対称の構造を築造してもよい。また、上記実施形態では門型ブロックを２連以上に配置することを例示したが、門型ブロックは１つであってもよい。
【符号の説明】
【００６４】
１…トンネル内構造、２…トンネル内構造、３…トンネル内構造、１０…シールドトンネル、１１…内壁、１２…セグメント、２０…インバートブロック、２０Ａ…インバートブロック、２１…底面、２２…上面、２２ａ…傾斜面、２３…溝部、２４…溝部、３０…門型ブロック、３０Ａ…門型ブロック、３０Ｂ…門型ブロック、３０Ｃ…門型ブロック、３１…天板、３１ａ…両側、３１ｂ…両側、３２…脚部、３２ａ…下端部、３３…脚部、３３ａ…下端部、４０…端部構造、４０Ａ…端部構造、４１…上面、５０…土層、Ｐ…開口部、Ｐ１…空間、Ｐ２…空間、Ｐ３…空間、Ｑ…緩衝材、Ｒ１…回転機構、Ｒ２…回転機構、Ｒ３…回転機構、Ｒ４…回転機構、Ｒ５…回転機構、Ｓ…隙間
【図１】
2018109280.tif 000003
【図２】
2018109280.tif 000004
【図３】
2018109280.tif 000005
【図４】
2018109280.tif 000006
【図５】
2018109280.tif 000007
【図６】
2018109280.tif 000008
【図７】
2018109280.tif 000009
【図８】
2018109280.tif 000010
【図９】
2018109280.tif 000011
【図１０】
2018109280.tif 000012
【図１１】
2018109280.tif 000013
【図１２】
2018109280.tif 000014
【図１３】
2018109280.tif 000015
【図１４】
2018109280.tif 000016